(57)【要約】【課題】組立時に中央キーの方向を適切とすることができ、完成状態でシート体が見えるようなことがない構造の電気機器を提供する。【解決手段】外周キーと中央キー１００とが組立治具２００の保持凹部２０１に同軸状に保持されてシート体に装着された電気機器であって、組立治具２００の保持凹部２０１に形成されている治具凸部２０２と係合するキー凹部１０２が中央キー１００の円形部分１０１の上面に下面まで貫通しない形状で形成されている。組立時に中央キー１００をキー凹部１０２により適切な方向に保持することができる。それでいて、中央キー１００の上面から下面までキー凹部１０２が貫通していないので、完成状態でキー凹部１０２からシート体が見えて商品性が低下するようなことがない。【選択図】図１
2008027653.tif 000002
【特許請求の範囲】
【請求項１】
中央に円形の開口孔が形成されている円環部分を有する外周キーと、前記外周キーの前記開口孔に位置する円形部分を有する中央キーと、前記外周キーと前記中央キーとが上面に同軸状に装着されているシート体と、を有する電気機器であって、
前記中央キーの円形部分の上面にキー凹凸が下面まで貫通しない形状で形成されている電気機器。
【請求項２】
中央に円形の開口孔が形成されている円環部分を有する外周キーと、前記外周キーの前記開口孔に位置する円形部分を有する中央キーと、前記外周キーと前記中央キーとが上面に同軸状に装着されているシート体と、を有し、前記外周キーと前記中央キーとが組立治具の保持凹部に同軸状に保持されて前記シート体に装着された電気機器であって、
前記組立治具の保持凹部に形成されている治具凹凸と係合するキー凹凸が前記中央キーの円形部分の上面に下面まで貫通しない形状で形成されている電気機器。
【請求項３】
前記キー凹凸が前記中央キーの円形部分の前記上面および外周面に形成されている請求項１または２に記載の電気機器。
【請求項４】
前記中央キーの円形部分の軸心に対して回転対称とならない形状に前記キー凹凸が形成されている請求項１ないし３の何れか一項に記載の電気機器。
【請求項５】
請求項４に記載の電気機器の組立時に前記シート体に装着される前記外周キーと前記中央キーとを保持凹部で同軸状に保持する組立治具であって、
前記中央キーのキー凹凸に係合する治具凹凸が前記円形部分の軸心に対して回転対称とならない形状で前記保持凹部に形成されている組立治具。
【発明の詳細な説明】
【技術分野】
【０００１】
本発明は、外周キーの円環部分の開口孔に中央キーの円形部分が位置している電気機器に関し、特に、外周キーと中央キーとが組立治具の保持凹部に同軸状に保持されてシート体に装着された電気機器に関する。
【背景技術】
【０００２】
現在、いわゆる携帯電話端末などの電気機器には、同軸状に配置されている円環形の外周キーと円形の中央キーとを一般的に有する。外周キーは方向キー等と呼称されており、カーソルを各種方向に移動させる入力操作などに利用されている。中央キーは決定キー等と呼称されており、移動するカーソルで選択されたメニューを決定する入力操作などに利用されている。
【０００３】
ここで、上述のような電気機器の一従来例を図４ないし図６を参照して以下に説明する。ここで例示する電気機器は、いわゆる携帯電話端末であり(図示せず)、図４に示すように、外周キー１０と中央キー２０とシート体３０とを有する。
【０００４】
外周キー１０は、中央に円形の開口孔１１が形成されている円環部分１２を有する。中央キー２０は、外周キー１０の開口孔１１に位置する円形部分２１を有する。シート体３０は、外周キー１０と中央キー２０とが上面に同軸状に装着されている。
【０００５】
外周キー１０と中央キー２０とは、例えば、硬質な樹脂により形成されている。シート体３０は、例えば、柔軟なシリコンゴムにより形成されている。このシート体３０を内蔵する電気機器の本体ハウジングにも円形の開口孔が形成されている(図示せず)。
【０００６】
そこで、外周キー１０と中央キー２０とが装着されたシート体３０が本体ハウジングの内部に配置されることで、本体ハウジングの開口孔に外周キー１０の円環部分１２が中央キー２０の円形部分２１とともに露出する。
【０００７】
上述のような電気機器の組立時において、外周キー１０と中央キー２０とを一個の組立治具で保持しておいてシート体３０に一度に装着する手法がある。ここで、この手法を図５および図６を参照して以下に説明する。
【０００８】
組立治具４０は、外周キー１０と中央キー２０とを同軸状に保持する形状の保持凹部４１が一面に形成されている。そこで、組立治具４０の保持凹部４１に同軸状に保持された外周キー１０と中央キー２０とが、図５に示すように、シート体３０の上面に接着される。
【０００９】
ここで、外周キー１０の円環部分１２は外周形状が円形なので、本体ハウジングの円形の開口孔の内部で回転することができる。同様に、中央キー２０の円形部分２１も外周形状が円形なので、外周キー１０の円形の開口孔１１の内部で回転することができる。しかし、外周キー１０と中央キー２０とは、その表面に記号などが表記されているので、電気機器には所定の方向で組み付けられる必要がある。
【００１０】
そこで、図４および図５に示すように、外周キー１０は、円環部分１２の外周面の下部に、異形のキー凸部１３が形成されている。一方、組立治具４０は、外周キー１０のキー凸部１３が係合する形状に保持凹部４１の内周面が形成されている。
【００１１】
また、中央キー２０は、図４ないし図６に示すように、円形部分２１の外周部の上面から下面まで、一対の貫通孔２２が形成されている。一方、組立治具４０は、中央キー２０の一対の貫通孔２２と個々に係合する治具凸部４２が保持凹部４１に突設されている。
【００１２】
このため、図５および図６に示すように、組立治具４０で外周キー１０と中央キー２０とが保持されるときは、保持凹部４１にキー凸部１３が係合することにより外周キー１０が適切な方向となり、治具凸部４２が貫通孔２２に係合することにより中央キー２０が適切な方向となる(例えば、特許文献１参照)。
【特許文献１】特開平２００４−２８１３３１号公報
【発明の開示】
【発明が解決しようとする課題】
【００１３】
しかし、特許文献１の電気機器では、図５および図６に示すように、中央キー２０を組立治具４０に適切な方向で保持させるための貫通孔２２が、その円形部分２１の外周部の上面から下面まで形成されている。
【００１４】
このため、図４に示すように、この中央キー２０がシート体３０に接着されて電気機器に組み付けられると、その貫通孔２２からシート体３０が見えることになる。これは電気機器の商品性を低下させることになる。また、貫通孔２２から本体ハウジングの内部に塵芥なども侵入しやすくなるので、電気機器の信頼性や耐久性が低下する。
【００１５】
本発明は上述のような課題に鑑みてなされたものであり、組立時に中央キーの方向を適切とすることができ、完成状態でシート体が見えるようなことがない構造の電気機器を提供するものである。
【課題を解決するための手段】
【００１６】
本発明の第一の電気機器は、中央に円形の開口孔が形成されている円環部分を有する外周キーと、外周キーの開口孔に位置する円形部分を有する中央キーと、外周キーと中央キーとが上面に同軸状に装着されているシート体と、を有する電気機器であって、中央キーの円形部分の上面にキー凹凸が下面まで貫通しない形状で形成されている。
【００１７】
本発明の第二の電気機器は、中央に円形の開口孔が形成されている円環部分を有する外周キーと、外周キーの開口孔に位置する円形部分を有する中央キーと、外周キーと中央キーとが上面に同軸状に装着されているシート体と、を有し、外周キーと中央キーとが組立治具の保持凹部に同軸状に保持されてシート体に装着された電気機器であって、組立治具の保持凹部に形成されている治具凹凸と係合するキー凹凸が中央キーの円形部分の上面に下面まで貫通しない形状で形成されている。
【００１８】
従って、本発明の電気機器では、組立時に中央キーをキー凹凸により適切な方向に保持することができ、完成状態で中央キーの上面から下面までキー凹凸が貫通していることがない。
【００１９】
なお、本発明で云う各種の構成要素は、必ずしも個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等でもよい。
【００２０】
また、本発明では上下方向を規定しているが、これは本発明の構成要素の相対関係を簡単に説明するために便宜的に規定したものであり、本発明を実施する場合の組立時や使用時の方向を限定するものではない。
【発明の効果】
【００２１】
本発明の電気機器では、組立時に中央キーをキー凹凸により適切な方向に保持することができるので、中央キーを適切な方向でシート体に装着することができる。それでいて、完成状態で中央キーの上面から下面までキー凹凸が貫通していないので、キー凹凸からシート体が見えて商品性が低下するようなことがない。さらに、キー凹凸から本体ハウジングの内部に塵芥が侵入し、耐久性や信頼性が低下するようなこともない。
【発明を実施するための最良の形態】
【００２２】
本発明の実施の一形態を図面を参照して以下に説明する。ただし、本実施の形態に関して前述した一従来例と同一の部分は、同一の名称を使用して詳細な説明は省略する。本実施の形態の電気機器(図示せず)も、いわゆる携帯電話端末からなり、一従来例として前述した電気機器と同様に、外周キーと中央キー１００とシート体とを有する。
【００２３】
外周キーは、中央に円形の開口孔が形成されている円環部分を有する。図１(ａ)に示すように、中央キー１００は、外周キーの開口孔に位置する円形部分１０１を有する。シート体は、外周キーと中央キー１００とが上面に同軸状に装着されている。
【００２４】
外周キーと中央キー１００とは、例えば、硬質な樹脂により形成されている。シート体は、例えば、柔軟なシリコンゴムにより形成されている。このシート体を内蔵する電気機器の本体ハウジングにも円形の開口孔が形成されている(図示せず)。
【００２５】
そこで、外周キーと中央キー１００とが装着されたシート体が本体ハウジングの内部に配置されることで、本体ハウジングの開口孔に外周キーの円環部分が中央キー１００の円形部分１０１とともに露出する。
【００２６】
さらに、本実施の形態の電気機器も、組立時には外周キーと中央キー１００とが一個の組立治具２００で保持されシート体に一度に装着される。このため、図１(ｂ)に示すように、組立治具２００は、外周キーと中央キー１００とを同軸状に保持する形状の保持凹部２０１が一面に形成されている。
【００２７】
そして、本実施の形態でも、外周キーと中央キー１００とが所定の方向でシート体に装着される必要がある。このため、外周キーは、円環部分の外周面の下部に異形のキー凸部が形成されており、このキー凸部が係合する形状に組立治具２００の保持凹部２０１の内周面が形成されている。
【００２８】
また、本実施の形態の中央キー１００は、図１(ａ)に示すように、円形部分１０１の上面および外周面に、キー凹凸であるキー凹部１０２が形成されている。このキー凹部１０２は、中央キー１００の軸心を中心に相互に直角となる四箇所に形成されている。
【００２９】
ただし、本実施の形態の中央キー１００では、キー凹部１０２は下面まで貫通されていない。そして、組立治具２００は、図１(ｂ)に示すように、中央キー１００の一対のキー凹部１０２と個々に係合する治具凹凸である治具凸部２０２が保持凹部２０１に突設されている。
【００３０】
このため、組立治具２００で外周キーと中央キー１００とが保持されるときは、保持凹部２０１にキー凸部が係合することにより外周キーが適切な方向となり、治具凸部２０２がキー凹部１０２に係合することにより中央キー１００が適切な方向となる。
【００３１】
本実施の形態の電気機器では、組立時に中央キー１００をキー凹部１０２により適切な方向に保持することができるので、中央キー１００を適切な方向でシート体に装着することができる。
【００３２】
それでいて、完成状態で中央キー１００の上面から下面までキー凹部１０２が貫通していない。このため、キー凹部１０２からシート体が見えて商品性が低下するようなことがない。さらに、キー凹部１０２から本体ハウジングの内部に塵芥が侵入し、耐久性や信頼性が低下するようなこともない。
【００３３】
なお、本発明は本実施の形態に限定されるものではなく、その要旨を逸脱しない範囲で各種の変形を許容する。例えば、上記形態では中央キー１００の円形部分１０１の上面および外周面にキー凹凸としてキー凹部１０２が形成されていることを例示した。
【００３４】
しかし、図２(ａ)に示すように、中央キー１１０の円形部分１１１の上面のみにキー凹凸としてキー凹部１１２が形成されていてもよい。この場合、図２(ｂ)に示すように、組立治具２１０では、治具凹部２１１にキー凹部１１２に係合する治具凸部２１２が治具凹凸として形成されていればよい。
【００３５】
さらに、上記形態では中央キー１００のキー凹凸がキー凹部１０２からなり、組立治具２００の治具凹凸が治具凸部２０２からなることを例示した。しかし、キー凹凸がキー凸部からなり、治具凹凸が治具凹部からなってもよい(図示せず)。
【００３６】
また、上記形態では中央キー１００の軸心を中心に回転対称となる形状にキー凹部１０２が形成されていることを例示した。しかし、図３(ａ)に示すように、中央キー１３０の軸心を中心に回転対称とならない形状にキー凹凸１３１が形成されていてもよい。
【００３７】
この場合、図３(ｂ)に示すように、組立治具２２０としては、治具凹部２２１にキー凹凸１３１が係合する治具凹凸２２２が形成されていればよい。この組立治具２２０で中央キー１３０を保持するときは、その方向が一つに限定される。このため、中央キー１３０が９０度などに回転した状態で組立治具２２０に保持されてシート体に接着されるようなことがない。
【００３８】
さらに、上記形態では中央キー１００のキー凹部１０２が単純な幾何学的な形状からなることを例示した。しかし、中央キーのキー凹凸を所定の文字やロゴの形状に形成してもよい。この場合、完成状態で露出する中央キーの上面のキー凹凸に、特有の意味を持たせることができる。
【００３９】
また、上記形態では電気機器の完成状態で中央キー１００の円形部分１０１の上面が露出していることを想定した。しかし、中央キー１００の円形部分１０１の上面に別体のキートップを装着してもよい(図示せず)。
【００４０】
その場合、キートップの下面にキー凸部を形成しておき、そのキー凸部を中央キー１００のキー凹部１０２に係合させればよい。これでキートップを中央キー１００に適切な方向で強固に装着することができる。
【００４１】
さらに、上記形態では電気機器として携帯電話端末を想定した。しかし、本発明の電気機器は、外周キーと中央キーとが同軸状に配置されている構造であればよい。例えば、ＰＤＡ(Personal Digital Assistance)、電子手帳、ノート型のパーソナルコンピュータ、等でもよい。
【図面の簡単な説明】
【００４２】
【図１】(ａ)は本発明の実施の形態の電気機器の中央キーを示す斜視図、(ｂ)は組立治具を示す斜視図である。
【図２】(ａ)は一変形例の中央キーを示す斜視図、(ｂ)は組立治具を示す斜視図である。
【図３】(ａ)は他の変形例の中央キーを示す斜視図、(ｂ)は組立治具を示す斜視図である。
【図４】一従来例の電気機器のシート体に外周キーと中央キーとが装着されている状態を示す平面図である。
【図５】外周キーと中央キーとを組立治具で保持してシート体に装着する状態を示す模式的な分解斜視図である。
【図６】外周キーと中央キーとを組立治具で保持した状態を示す縦断正面図である。
【符号の説明】
【００４３】
１０    外周キー
１１    開口孔
１２    円環部分
１３    キー凸部
２０    中央キー
２１    円形部分
２２    貫通孔
３０    シート体
４０    組立治具
４１    保持凹部
４２    治具凸部
１００    中央キー
１０１    円形部分
１０２    キー凹部
１１０    中央キー
１１１    円形部分
１１２    キー凹部
１３０    中央キー
１３１    キー凹凸
２００    組立治具
２０１    保持凹部
２０２    治具凸部
２１０    組立治具
２１１    治具凹部
２１２    治具凸部
２２０    組立治具
２２１    治具凹部
２２２    治具凹凸
【図１】
2008027653.tif 000003
【図２】
2008027653.tif 000004
【図３】
2008027653.tif 000005
【図４】
2008027653.tif 000006
【図５】
2008027653.tif 000007
【図６】
2008027653.tif 000008